(57)【要約】【課題】パスワードを登録するためのシステムを提供する。【解決手段】このシステムは、申込者の端末（１０）から、申込書に付与された一連番号及びパスワードを受信する入力部（２２）と、パスワード登録済コードを生成するパスワード登録済コード発生部（２４）と、一連番号及びパスワードとパスワード登録済コードとを格納するパスワード一時保管データーベース（２６）と、パスワード登録済コードを端末（１０）へ送信する出力部（２２）と、登録オペレーターが操作する端末（１２）から、申込書中の一連番号及びパスワード登録済コードを受信する入力部（３２）と、ＩＤを生成するＩＤ発生部（３４）と、パスワード一時保管データーベースから一連番号及びパスワード登録済コードに関連付けられたパスワードを取得するパスワード取得部（３６）と、パスワードおよびＩＤを関連付けて格納する契約情報データーベース（３８）とを備える。【選択図】図１
2011044018.tif 000002
【特許請求の範囲】
【請求項１】
パスワード登録システムであって、
申込者が操作する端末から、前記申込者が事前に取得し未提出の申込書に付与された一連番号及び前記申込者が決定したパスワードを受信する入力手段と、
パスワード登録済コードを生成するパスワード登録済コード発生手段と、
前記第１の入力手段により受信された前記一連番号及び前記パスワードと前記パスワード登録済コード発生手段により生成された前記パスワード登録済コードとを関連付けて格納する第１の記憶手段と、
前記パスワード登録済コード発生手段により生成され前記パスワードと関連付けられた前記パスワード登録済コードを前記申込者が操作する端末へ送信する第１の出力手段と、
前記申込者から提出された前記一連番号が付与された申込書の内容を登録する登録オペレーターが操作する端末から、前記一連番号及び前記申込書に記載された前記パスワード登録済コードを受信する第２の入力手段と、
前記申込者を一意に識別するＩＤを生成するＩＤ発生手段と、
前記第１の記憶手段を照会して、前記一連番号及び前記パスワード登録済コードに関連付けられた前記パスワードを取得するパスワード取得手段と、
前記パスワード取得手段により取得された前記パスワードと、前記ＩＤ発生手段により生成された前記ＩＤとを関連付けて格納する第２の記憶手段と、
前記ＩＤ発生手段により生成された前記ＩＤを出力する第２の出力手段と
を備えたことを特徴とするパスワード登録システム。
【請求項２】
前記第１の入力手段により受信された前記一連番号及び前記パスワードを前記第１の記憶手段に格納する前に、同一の一連番号がパスワードとともに既に格納されていないかどうかを確認する手段をさらに備えたことを特徴とする請求項１に記載のパスワード登録システム。
【請求項３】
プロセッサとメモリを有するコンピューターを、
申込者が操作する端末から、前記申込者が事前に取得し未提出の申込書に付与された一連番号及び前記申込者が決定したパスワードを受信する入力手段と、
パスワード登録済コードを生成するパスワード登録済コード発生手段と、
前記第１の入力手段により受信された前記一連番号及び前記パスワードと前記パスワード登録済コード発生手段により生成された前記パスワード登録済コードとを関連付けて格納する第１の記憶手段と、
前記パスワード登録済コード発生手段により生成され前記パスワードと関連付けられた前記パスワード登録済コードを前記申込者が操作する端末へ送信する第１の出力手段と、
前記申込者から提出された前記一連番号が付与された申込書の内容を登録する登録オペレーターが操作する端末から、前記一連番号及び前記申込書に記載された前記パスワード登録済コードを受信する第２の入力手段と、
前記申込者を一意に識別するＩＤを生成するＩＤ発生手段と、
前記パスワード一時保管データーベースを照会して、前記一連番号及び前記パスワード登録済コードに関連付けられた前記パスワードを取得するパスワード取得手段と、
前記パスワード取得手段により取得された前記パスワードと、前記ＩＤ発生手段により生成された前記ＩＤとを関連付けて格納する第２の記憶手段と、
前記ＩＤ発生手段により生成された前記ＩＤを出力する第２の出力手段と
して機能させることを特徴とするプログラム。
【請求項４】
前記コンピューターを、前記第１の入力手段により受信された前記一連番号及び前記パスワードを前記パスワード一時保管データーベースに格納する前に、同一の一連番号がパスワードとともに既に格納されていないかどうかを確認する手段としてさらに機能させることを特徴とする請求項３に記載のプログラム。
【請求項５】
パスワード登録システムにおいてパスワードを登録する方法であって、
第１の入力手段が、申込者が操作する端末から、前記申込者が事前に取得し未提出の申込書に付与された一連番号及び前記申込者が決定したパスワードを受信するステップと、
パスワード登録済コード発生手段が、パスワード登録済コードを生成するステップと、
第１の記憶手段が、前記第１の入力手段により受信された前記一連番号及び前記パスワードと前記パスワード登録済コード発生手段により生成された前記パスワード登録済コードとを関連付けて格納するステップと、
第１の出力手段が、前記パスワード登録済コード発生手段により生成され前記パスワードと関連付けられた前記パスワード登録済コードを前記申込者が操作する端末へ送信するステップと、
第２の入力手段が、前記申込者から提出された前記一連番号が付与された申込書の内容を登録する登録オペレーターが操作する端末から、前記一連番号及び前記申込書に記載された前記パスワード登録済コードを受信するステップと、
パスワード取得手段が、前記第１の記憶手段を照会して、前記一連番号及び前記パスワード登録済コードに関連付けられた前記パスワードを取得するステップと、
ＩＤ発生手段が、前記申込者を一意に識別するＩＤを生成するステップと、
第２の記憶手段が、前記パスワード取得手段により取得された前記パスワードと、前記ＩＤ発生手段により生成された前記ＩＤとを関連付けて格納するステップと、
第２の出力手段が、前記ＩＤ発生手段により生成された前記ＩＤを出力するステップと
を含むことを特徴とする方法。
【請求項６】
前記第１の記憶手段が、前記第１の入力手段により受信された前記一連番号及び前記パスワードと前記パスワード登録済コード発生手段により生成された前記パスワード登録済コードとを関連付けて格納するステップは、
前記第１の入力手段により受信された前記一連番号と同一の一連番号がパスワードとともに既に格納されていない場合に、前記第１の入力手段により受信された前記一連番号及び前記パスワードを前記第１の記憶手段に格納することを特徴とする請求項５に記載の方法。
【発明の詳細な説明】
【技術分野】
【０００１】
本発明は、パスワードを登録するためのシステム及び方法に関する。
【背景技術】
【０００２】
従来、銀行などの金融機関における、口座の開設申込、インターネットバンキングの申込、クレジットカードの申込及びカードローンの申込などの申込手続において、顧客（申込者）は、所定の申込用紙に必要事項を記入して、金融機関に提出する必要がある。申込に必要な事項には、ＡＴＭ（現金自動預払機）やインターネットバンキングを使用して取引を行う際に使用するパスワードが含まれ、顧客は、自身が決定したパスワードを申込書に記入して、郵便などを使用して提出する。金融機関は、この申込書を受け取り、申込書に記入された情報を登録し、口座の開設やキャッシュカードやクレジットカードを発行する。その後、顧客はＡＴＭ（現金自動預払機）やインターネットバンキングを使用した取引が可能となる。
【発明の概要】
【発明が解決しようとする課題】
【０００３】
しかしながら、申込書は、顧客の元を離れた後に、配送業者や金融機関内部などの第三者の目に触れる可能性がある。すなわち、パスワードを含む顧客情報が漏洩するリスクがある。
【０００４】
現在このようなリスクに対処するために、一例として、パスワード被膜用シールを用いる方法がある。例えば、申込書用紙とともにパスワード被膜用シールを手交し、顧客自身が、当該シールで申込書に記入したパスワードを覆い隠すことによって、パスワードを第三者の目に触れさせないようにする。この対策によって、パスワードは第三者の目に直接触れず、漏洩リスクを軽減することができる。しかしながら、金融機関において申込書に記入された情報を登録する登録オペレーターは、パスワードを見て登録する必要がある。
【０００５】
また、別の問題として、登録オペレーターが、パスワード誤入力する可能性がある。
【０００６】
本発明は、このような問題に鑑みてなされたものであり、その目的とするところは、申込書にパスワードを記入することなく、パスワードを登録するためのシステム及び方法を提供することにある。
【課題を解決するための手段】
【０００７】
このような目的を達成するために、本発明の一側面であるパスワード登録システムは、申込者（顧客）が操作する端末（１０）から一連番号及びパスワードを受信する第１の入力手段（２２）と、パスワード登録済コードを生成するパスワード登録済コード発生手段（２４）と、第１の入力手段により受信された一連番号及びパスワードとパスワード登録済コード発生手段により生成されたパスワード登録済コードとを関連付けて格納する記憶手段（２６）と、パスワード登録済コード発生手段により生成されたパスワード登録済コードを申込者が操作する端末（１０）へ送信する第１の出力手段（２２）と、登録オペレーターが操作する端末（１２）から一連番号及びパスワード登録済コードを受信する第２の入力手段（３２）と、申込者（顧客）を一意に識別するＩＤを生成するＩＤ発生手段（３４）と、第１の記憶手段を照会して、登録オペレーターが操作する端末（１２）から受信した一連番号及びパスワード登録済コードに関連付けられたパスワードを取得するパスワード取得手段（３６）と、パスワード取得手段により取得されたパスワードと、ＩＤ発生手段により生成されたＩＤとを関連付けて格納する第２の記憶手段（３８）と、ＩＤ発生手段により生成されたＩＤを出力する第２の出力手段（４０）とを備える。
【０００８】
一実施形態では、第１の入力手段（２２）と、パスワード登録済コード発生手段（２４）と、第１の記憶手段（２６）と、第１の出力手段（２２）とは、パスワードセルフ登録システム（２０）を構成する。また、第２の入力手段（３２）と、ＩＤ発生手段（３４）と、パスワード取得手段（３６）と、第２の記憶手段（３８）と、第２の出力手段（４０）とは、契約情報登録システム（３０）を構成する。
【０００９】
一実施形態では、パスワード登録システムは、受信した一連番号及びパスワードを第１の記憶手段（２６）に格納する前に、同一の一連番号がパスワードとともに既に格納されていないかどうかを確認する手段を備える。
【００１０】
本発明の別の側面は、上記パスワード登録システムにおいてパスワードを登録する方法にある。
【００１１】
本発明のさらに別の側面は、コンピューターを上記パスワード登録システムとして機能させるためのプログラムにある。このプログラムは、プロセッサとメモリを有するコンピューターを、上記第１の入力手段（２２）と、上記パスワード登録済コード発生手段（２４）と、上記第１の記憶手段（２６）と、上記第１の出力手段（２２）と、上記第２の入力手段（３２）と、上記ＩＤ発生手段（３４）と、上記取得するパスワード取得手段（３６）と、上記第２の記憶手段（３８）と、上記第２の出力手段（４０）として機能させる。
【００１２】
一実施形態では、このプログラムは、上記コンピューターを、上記同一の一連番号がパスワードとともに既に格納されていないかどうかを確認する手段としてさらに機能させる。
【発明の効果】
【００１３】
以上説明したように、本発明によれば、申込書にパスワードを記入することなく、パスワードを登録するためのシステム及び方法を提供することが可能となる。
【図面の簡単な説明】
【００１４】
【図１】本発明の一実施形態にかかるパスワード登録システムを示す構成図である。
【図２】本発明の一実施形態にかかるパスワード登録システムの動作フローを示すフローチャートである。
【発明を実施するための形態】
【００１５】
以下、図面を参照しながら本発明の実施形態について詳細に説明する。  
本実施形態は、オンライン・バンキング・サービスを提供するオンライン・バンキング・システムと接続され、顧客がオンライン・バンキング・システムを使用する際に使用するパスワードを登録するためのパスワード登録システムを例示する。本実施形態によれば、オンライン・バンキング・システムの申込者（顧客）は、一連の申込手続に先立って一連番号が付与された申込書を取得し、申込書を一意に識別する一連番号を使用して自身が決定したパスワードを事前登録する。その後、顧客は、パスワードを記載せずに申込書を提出し、オンライン・バンキング・システムのＩＤを取得する。これにより、顧客が、取得したＩＤと事前登録したパスワードを用いて、オンライン・バンキング・システムを使用することができる。
【００１６】
図１は、本発明の一実施形態にかかるパスワード登録システムを示す構成図である。パスワード登録システムは、パスワードを登録するためのシステムであり、パスワードセルフ登録システム２０と、契約情報登録システム３０とを備える。
【００１７】
パスワードセルフ登録システム２０は、顧客が金融機関に申込書を提出する前にパスワードを事前登録するためのシステムであり、入出力部２２と、パスワード登録済コード発生部２４と、パスワード一時保管データーベース２６とを備える。また、パスワードセルフ登録システム２０は、一連番号が付与された申込書を生成する申込書発行部（図示しない）を備えることもできる。パスワードセルフ登録システム２０の構成要素は、ソフトウェアモジュール、ハードウェアモジュールまたはソフトウェアとハードウェアを組み合わせたモジュールとして構成することができる。金融機関が申込書に付与した一連番号は、入出力部２２が参照することができるパスワードセルフ登録システム２０内外のデーターベースに格納されている。
【００１８】
入出力部２２は、インターネット等のネットワークを介して、オンラインバンキングの申込者（顧客）が操作する端末１０と接続され顧客と対話する機能を有する。例えば、入出力部２２は、申込書に付与された一連番号及び顧客が決定したパスワードの入力を促す画面を生成して端末１０へ送信し、一連番号及びパスワードを受信する。また、入出力部２２は、一連番号及びパスワードを受信すると、パスワード登録済コード発生部２４により生成されパスワード登録済コードとともに受信した一連番号及びパスワードをパスワード一時保管データーベース２６へ格納して関連付ける。さらに、入出力部２２は、受信したパスワードに関連付けられたパスワード登録済コードを端末１０へ送信する。
【００１９】
また、入出力部２２は、受信した一連番号及びパスワードをパスワード一時保管データーベース２６に格納する前に、パスワードセルフ登録システム２０内外のデーターベースを参照して受信した一連番号が金融機関により申込書に付与された正規の一連番号であるかどうかを確認するように構成することができる。これにより、不正な申込書によるパスワードの登録を防止することができる。さらにまた、入出力部２２は、受信した一連番号及びパスワードをパスワード一時保管データーベース２６に格納する前に、同一の一連番号がパスワードとともに既に格納されていないかどうかを確認するように構成することができる。これにより、第三者による不正なパスワードの登録を防止することができる。
【００２０】
パスワード登録済コード発生部２４は、入出力部２２により受信された一連番号及びパスワードに関連付けられるパスワード登録済コードを生成する。パスワード登録済コードは、コンピューターが識別することができる文字、記号、乱数などの数字またはこれらの組み合わせなどとすることができる。パスワード登録済コードは、入出力部２２を介して端末１０へ送信される。顧客は、送信した一連番号が付与された申込書にパスワード登録済コードを転記して、金融機関へ提出する。
【００２１】
パスワード一時保管データーベース２６は、入出力部２２により受信された一連番号及びパスワードとパスワード登録済コード発生部２４により生成されたパスワード登録済コードとを関連付けて格納する。パスワード一時保管データーベース２６は、金融機関が申込書に付与した一連番号の格納先とすることができる。この場合、パスワード一時保管データーベース２６は、先に格納された一連番号に、入出力部２２により受信されたパスワード及びパスワード登録済コード発生部２４により生成されたパスワード登録済コードを後から関連付ける。
【００２２】
契約情報登録システム３０は、金融機関の登録オペレーターが顧客から提出された申込書の内容を登録するためのシステムであり、入力部３２と、ＩＤ発生部３４と、パスワード取得部３６と、契約情報データーベース３８と、出力部４０とを備える。契約情報登録システム３０の構成要素は、ソフトウェアモジュール、ハードウェアモジュールまたはソフトウェアとハードウェアを組み合わせたモジュールとして構成することができる。
【００２３】
入力部３２は、ＬＡＮ等のネットワーク（図示しない）を介して金融機関の登録オペレーターが操作する端末１２と接続され登録オペレーターと対話する機能を有する。例えば、入力部３２は、申込書に付与された一連番号及びパスワード登録済コード、名前、住所などの入力を促す画面を生成して端末１２へ送信し、一連番号及びパスワード登録済コードを受信する。また、入力部３２は、パスワード取得部３６に、受信した一連番号及びパスワード登録済コードに関連付けられたパスワードの取得を指示する。さらに、入力部３２は、パスワード取得部３６により取得されたパスワード及びＩＤ発生部３４が生成したＩＤを契約情報データーベース３８へ格納して関連付ける。パスワード及びＩＤとともに、受信した一連番号及びパスワード登録済コードを契約情報データーベース３８へ格納して関連付けてもよい。受信した顧客の名前、及び住所、電話番号、ファックス番号、電子メールアドレスなどの連絡先の情報も関連付けて登録される。
【００２４】
ＩＤ発生部３４は、オンラインバンキングの顧客を一意に識別するＩＤを生成する。ＩＤは、コンピューターが識別することができる文字、記号、数字またはこれらの組み合わせなどとすることができる。
【００２５】
パスワード取得部３６は、パスワード一時保管データーベース２６を照会して、入力部３２により受信された一連番号及びパスワード登録済コードに関連付けられたパスワードを取得する。
【００２６】
契約情報データーベース３８は、パスワード取得部３６により取得されたパスワードと、ＩＤ発生部３４により生成されたＩＤとを関連付けて格納する。また、契約情報データーベース３８は、入力部３２により受信された一連番号、パスワード登録済コード、顧客の名前、及び住所、電話番号、ファックス番号、電子メールアドレスなどの連絡先の情報を、パスワード及びＩＤと関連付けて格納する。
【００２７】
出力部４０は、ＩＤを顧客へ通知する機能を有する。例えば、出力部４０は、ＩＤを顧客の住所等とともに契約情報データーベース３８から取得し、プリンターまたは電報システム（図示しない）へ供給することにより、ＩＤを郵便または電報で送付するのに適した形態で出力するように構成されている。代替として、出力部４０は、ＩＤを顧客の電話番号またはファクシミリ番号とともに契約情報データーベース３８から取得し、自動ダイヤルシステム（図示しない）へ供給することにより、ＩＤを音声またはファクシミリで送付するのに適した形態で出力するように構成してもよい。さらなる代替として、出力部４０は、ＩＤを顧客の電子メールアドレスとともに契約情報データーベース３８から取得し、ＩＤを電子メールの形態で出力するように構成してもよい。
【００２８】
オンライン・バンキング・システム５０は、顧客が通知されたＩＤと事前登録したパスワードを使用してアクセスして各種取引を行うためのシステムであって、入出力部５２と、認証部５４と、取引処理部５６とを備える。オンライン・バンキング・システム５０の構成要素は、ソフトウェアモジュール、ハードウェアモジュールまたはソフトウェアとハードウェアを組み合わせたモジュールとして構成することができる。
【００２９】
入出力部５２は、ネットワーク１４を介して端末１０と接続され、ＩＤやパスワード、あるいは取引指示を受信し、認証結果や取引結果を端末１０へ出力する機能を有する。
【００３０】
認証部５４は、入出力部５２を介して端末１０から入力されたＩＤ及びパスワードを受信して契約情報データーベース３８へ照会することにより、顧客を認証する機能を有する。
【００３１】
取引処理部５６は、入出力部５２を介して端末１０から入力された取引指示を実行する機能を有する。取引処理部５６は、取引を処理するために、勘定系システム等の他のシステムと協働するように構成することができる。
【００３２】
図２は、本発明の一実施形態にかかるパスワード登録システムの動作フロー及びオンライン・バンキング・システムの動作フローを示すフローチャートである。
【００３３】
（パスワードの事前登録）
オンライン・バンキング・システムの申込者（顧客）は、一連の申込手続に先立って一連番号が付与された申込書を取得している状態で、端末１０からパスワードセルフ登録システム２０へアクセスして、パスワードの事前登録を行う。顧客は、申込書を金融機関の窓口等での手交や郵送で取得することができる他、端末１０を操作して、パスワードセルフ登録システム２０の申込書発行部（図示しない）に一連番号が付与された申込書データーの生成を要求し、申込書データーを取得および印刷することにより申込書を取得することができる。
【００３４】
ステップＳ１０２において、入出力部２２が、顧客が操作する端末１０から一連番号（ＮＵＭ）及び顧客が入力したパスワード（ｘｘｘ）を受信する。
【００３５】
ステップＳ１０４において、パスワード登録済コード発生部２４が、パスワード登録済コード（ｙｙｙ）を生成する。
【００３６】
ステップＳ１０６において、入出力部２２が、受信した一連番号が金融機関により申込書に付与された正規の一連番号であるかどうかを確認し、さらに受信した一連番号と同一の一連番号がパスワードとともに既にパスワード一時保管データーベース２６に格納されていないかどうかを確認した後、受信した一連番号（ＮＵＭ）及びパスワード（ｘｘｘ）を、パスワード登録済コード発生部２４により生成されパスワード登録済コード（ｙｙｙ）とともにパスワード一時保管データーベース２６格納する。パスワード一時保管データーベース２６は、入出力部２２により受信された一連番号（ＮＵＭ）及びパスワード（ｘｘｘ）とパスワード登録済コード発生部２４により生成されたパスワード登録済コード（ｙｙｙ）とを関連付けて格納する。
【００３７】
ステップＳ１０８において、入出力部２２が、受信したパスワード（ｘｘｘ）に関連付けられたパスワード登録済コード（ｙｙｙ）を端末１０へ送信する。
【００３８】
図１に示すように、申込者（顧客）は、パスワードセルフ登録システム２０から送信されたパスワード登録済コードを、ステップＳ１０２において送信した一連番号が付与された申込書に転記し、さらに名前や住所などの所定の事項を記入して金融機関に提出する。
【００３９】
（申込書の内容の登録）
申込書を受け取った金融機関の登録オペレーターは、端末１２から契約情報登録システム３０へアクセスして、申込書の内容を登録する。
【００４０】
ステップＳ１１０において、入力部３２が、登録オペレーターが操作する端末１２から一連番号（ＮＵＭ）及びパスワード登録済コード（ｙｙｙ）を受信する。
【００４１】
ステップＳ１１２において、パスワード取得部３６が、パスワードセルフ登録システム２０のパスワード一時保管データーベース２６を照会して、入力部３２により受信された一連番号（ＮＵＭ）及びパスワード登録済コード（ｙｙｙ）に関連付けられたパスワード（ｘｘｘ）を取得する。
【００４２】
ステップＳ１１４において、ＩＤ発生部３４が、ＩＤ（ＵＳＲ）を生成する。
【００４３】
ステップＳ１１６において、入力部３２が、受信した一連番号（ＮＵＭ）及びパスワード登録済コード（ｙｙｙ）を、パスワード取得部３６により取得されたパスワード（ｘｘｘ）及びＩＤ発生部３４が生成したＩＤ（ＵＳＲ）とともに、契約情報データーベース３８へ格納する。契約情報データーベース３８は、入力部３２により受信された一連番号（ＮＵＭ）及びパスワード登録済コード（ｙｙｙ）と、パスワード取得部３６により取得されたパスワード（ｘｘｘ）と、ＩＤ発生部３４により生成されたＩＤ（ＵＳＲ）とを関連付けて格納する。
【００４４】
ステップＳ１１８において、出力部４０が、ＩＤ発生部３４により生成されたＩＤ（ＵＳＲ）を出力して、顧客に通知する。
【００４５】
（オンライン・バンキング・システムへのアクセス）
顧客は、通知されたＩＤと事前登録したパスワードを使用してオンライン・バンキング・システムへアクセスする。
【００４６】
ステップＳ１２０において、入出力部５２が、端末１０からＩＤ（ＵＳＲ）及びパスワード（ｘｘｘ）を受信する。
【００４７】
ステップＳ１２２において、認証部５４が、契約情報データーベース３８を照会することにより、受信したＩＤ（ＵＳＲ）及びパスワード（ｘｘｘ）で顧客を認証する。
【００４８】
ステップＳ１２４において、取引処理部５６が、認証部５４により認証された顧客及び他のシステムと対話して、取引処理を実行する。
【００４９】
以上説明したように、本発明によれば、申込書にパスワードを記入することなく、パスワードを登録するためのシステム及び方法を提供することが可能となる。申込書にパスワードを記入する必要がないため、申込書が顧客の元を離れた後にパスワードが漏洩するリスクが無くなる。さらに、パスワード被膜用シールと申込書を手交または郵送する必要もなくなるため、申込書をオンラインで容易に取得することが可能になる。
【符号の説明】
【００５０】
１０，１２  端末
１４  ネットワーク
２０  パスワードセルフ登録システム
２２  入出力部
２４  パスワード登録済コード発生部
２６  パスワード一時保管データーベース
３０  契約情報登録システム
３２  入力部
３４  ＩＤ発生部
３６  パスワード取得部
３８  契約情報データーベース
４０  出力部
５０  オンライン・バンキング・システム
５２  入出力部
５４  認証部
５６  取引処理部
【図１】
2011044018.tif 000003
【図２】
2011044018.tif 000004